(57)【要約】      （修正有）【課題】スプリンクラーに使用される火災警報弁の過圧リフロー装置を提供する。【解決手段】火災警報弁内の液圧の調整に用い、前記火災警報弁内にはメインバルブ１４ｂと、給水流路１１ｂと、排水流路１２ｂとを有している。前記過圧リフロー装置は前記メインバルブに装設しているリフロー台２０を備え、前記リフロー台内には相互に連通している前記給水流路に連通しているリフロー穴及び前記排水流路に連通している収容穴を有し、前記収容穴内にはバネ座金及び圧力調整リングを収容している。前記圧力調整リングには孔部を形成し、前記バネ座金はバネが付勢する弾性推力により駆動されて前記圧力調整リングに圧接し、前記排水流路内の過圧液体を前記給水流路に回流する時機を制御するために用いている。従来の火災警報弁では排水流路内の液圧が給水流路内の液圧よりも高いために開弁が遅れるという問題を改善している。【選択図】図２
0003232248.tif 000002
【実用新案登録請求の範囲】
【請求項１】
火災警報弁内の液圧を調整するために使用し、前記火災警報弁内にはメインバルブと、給水流路と、排水流路とを有し、前記メインバルブは前記給水流路内の液体を前記排水流路に向けて一方向に流れるように制御するために用い、前記排水流路内の液圧が前記給水流路内の液圧より低い場合、前記メインバルブを開くように駆動する火災警報弁の過圧リフロー装置であって、
前記メインバルブに装設し、内部には前記給水流路と前記排水流路との間に連通している取付チャネルを形成し、前記取付チャネルは前記給水流路に連通しているリフロー穴及び前記排水流路に連通している収容穴を相互に連通することで形成し、前記リフロー穴の孔径は前記収容穴によりも小さいリフロー台と、
バネを装填して前記収容穴内に可動に収容し、抵抗面及びリフローチャネルを形成し、前記リフローチャネル及び前記リフロー穴は相互に連通しているバネ座金と、
前記抵抗面に圧接可能な圧着面、及び前記圧着面の中央部に位置している孔部を形成し、前記孔部及び前記収容穴は相互に連通している圧力調整リングと、を備え、
前記圧力調整リングは前記収容穴内に装設し、前記バネが弾性推力を付勢することで前記バネ座金の抵抗面が前記圧力調整リングの圧着面に圧接し、前記排水流路内の過圧液体が前記収容穴及び孔部を順に経由して前記リフローチャネル、リフロー穴、及び給水流路に回流する時機を制御するために用いている
ことを特徴とする火災警報弁の過圧リフロー装置。
【請求項２】
前記バネ座金の両端にはネック部及び台座をそれぞれ形成し、前記抵抗面は前記ネック部に形成し、前記ネック部の直径は前記台座よりも小さく、前記ネック部の外面と前記収容穴の穴壁との間にはキャビティを形成し、前記台座には前記バネを装填するために用いている収容溝を形成し、前記ネック部には前記キャビティ及び前記収容溝に連通している少なくとも１つのスルーホールをさらに形成し、前記リフローチャネルは前記キャビティ、前記スルーホール、及び前記収容溝を連通することにより形成している
ことを特徴とする請求項１に記載の火災警報弁の過圧リフロー装置。
【請求項３】
前記収容穴はねじ穴形態に形成し、前記圧力調整リングはボルト形態に形成し、前記圧力調整リングは前記収容穴の軸方向位置に位置するように調整する形式で前記収容穴内に装設している
ことを特徴とする請求項１に記載の火災警報弁の過圧リフロー装置。
【請求項４】
前記メインバルブには逆止め弁を固設し、前記逆止め弁はバルブ座及び前記バルブ座内に可動に装設しているバルブプラグを備え、前記バルブプラグが制御しているバルブ穴の面積は前記メインバルブよりも狭く、前記バルブプラグは前記給水流路の液体を前記排水流路に向けて一方向に流れるように制御するために用い、前記リフロー台は前記バルブ座に固設して前記メインバルブに装設している
ことを特徴とする請求項１乃至３の何れか１項に記載の火災警報弁の過圧リフロー装置。
【請求項５】
前記逆止め弁は前記給水流路に連通している第一流路及び前記排水流路に連通している第二流路をさらに備え、前記第一流路及び前記第二流路は前記バルブ穴を介して相互に連通し、且つ前記リフロー穴は前記第一流路に連通している
ことを特徴とする請求項４に記載の火災警報弁の過圧リフロー装置。
【考案の詳細な説明】
【技術分野】
【０００１】
本考案は、火災警報弁に関し、更に詳しくは、火災警報弁の過圧リフロー装置に関する。
【背景技術】
【０００２】
火災警報弁は消防給水管内の液体（消火用水、泡消火剤）の流動を制御するために用い、前記消防給水管はスプリンクラーに連結し、火災発生時に火災警報弁を開弁して大量の液体をスプリンクラーに持続的に供給する。スプリンクラーは液体を火源に噴射し、火源の温度を下げるほか、酸素に接触しないように火源を隔絶し、消火効果を達成させている。
【０００３】
図１の前記火災警報弁のバルブ本体１０ａ内にはメインバルブ１４ａと、給水流路１１ａと、排水流路１２ａとを有し、メインバルブ１４ａは給水流路１１ａ内の液体が排水流路１２ａに向けて一方向に流れるように制御するために用い、排水流路１２ａの一端は消防給水管６０ａを介してスプリンクラー（図示省略）に連結している。前記液体は給水流路１１ａからバルブ本体１０ａ内に進入し、排水流路１２ａによりバルブ本体１０ａから排水される。よって、給水流路１１ａは給水端（すなわち、一次側）であり、排水流路１２ａは排水端（すなわち、二次側）である。
【０００４】
スプリンクラーの作動（すなわち、液体を噴射）時には、排水流路１２ａ内の液体は消防給水管６０ａを経由してスプリンクラーに向けて流れ、排水流路１２ａ内は液体が減少することで降圧現象が発生し、給水流路１１ａと排水流路１２ａとの間に圧力差が生じる。排水流路１２ａ内の液圧が給水流路１１ａ内の液圧より低くなると、メインバルブ１４ａが開弁するように駆動され、給水流路１１ａ内の液体が排水流路１２ａに流入し、消防給水管６０ａを経由してスプリンクラーに向けて流れる。
【考案の概要】
【考案が解決しようとする課題】
【０００５】
しかしながら、前述した従来の技術では、消防給水管６０ａは放圧端に属し、内部には通常気泡が存在し、常態では（火災により圧力が解放されていない場合）、天候の影響を受けて熱膨張や冷却収縮することで排水流路１２ａ内に内圧が発生し、排水流路１２ａ内の液圧が給水流路１１ａ内の液圧よりも高くなる。火災発生時には、火災警報弁のメインバルブ１４ａが迅速に開弁し、大流量の液体をスプリンクラーに供給する。この瞬間排水流路１２ａ内の液圧が給水流路１１ａ内の液圧よりも高くなり、メインバルブ１４ａが迅速に作動（すなわち、開弁）しなくなり、排水流路１２ａ内の液圧が給水流路１１ａ内の液圧よりも低くなるのを待たないとメインバルブ１４ａを開弁できなくなり、開弁が遅れ、スプリンクラーが液体を噴射する時間も遅れてしまい、火源を即時消火できず、火災による損失が拡大した。
【０００６】
そこで、本考案者は上記の欠点が改善可能と考え、鋭意検討を重ねた結果、合理的設計で上記の課題を効果的に改善する本考案の提案に至った。
【０００７】
本考案は前記技術的課題に鑑みて開発されたものであり、火災警報弁の過圧リフロー装置を提供することを目的とする。すなわち、従来の火災警報弁が熱膨張や冷却収縮により排水流路内の二次側の液圧が給水流路内の二次側の液圧よりも高くなり、火災警報弁の開弁が遅れ、給水流路内の一次側の液体が排水流路内に迅速に供給されなくなる問題を改善する。
【課題を解決するための手段】
【０００８】
上記課題を解決するために、本考案のある態様の火災警報弁の過圧リフロー装置は、火災警報弁内の液圧を調整するために使用し、前記火災警報弁内にはメインバルブと、給水流路と、排水流路とを有し、前記メインバルブは前記給水流路内の液体を前記排水流路に向けて一方向に流れるように制御するために用い、前記排水流路内の液圧が前記給水流路内の液圧より低い場合、前記メインバルブを開くように駆動する火災警報弁の過圧リフロー装置であって、
前記メインバルブに装設し、内部には前記給水流路と前記排水流路との間に連通している取付チャネルを形成し、前記取付チャネルは前記給水流路に連通しているリフロー穴及び前記排水流路に連通している収容穴を相互に連通することで形成し、前記リフロー穴の孔径は前記収容穴によりも小さいリフロー台と、
バネを装填して前記収容穴内に可動に収容し、抵抗面及びリフローチャネルを形成し、前記リフローチャネル及び前記リフロー穴は相互に連通しているバネ座金と、
前記抵抗面に圧接可能な圧着面、及び前記圧着面の中央部に位置している孔部を形成し、前記孔部及び前記収容穴は相互に連通している圧力調整リングと、を備え、
前記圧力調整リングは前記収容穴内に装設し、前記バネが弾性推力を付勢することで前記バネ座金の抵抗面が前記圧力調整リングの圧着面に圧接し、前記排水流路内の過圧液体が前記収容穴及び孔部を順に経由して前記リフローチャネル、リフロー穴、及び給水流路に回流する時機を制御するために用いている。
【０００９】
前記本考案に係る火災警報弁の過圧リフロー装置においては、前記バネ座金の両端にはネック部及び台座をそれぞれ形成し、抵抗面はネック部に形成し、ネック部の直径は台座より小さく、ネック部の外面と収容穴の穴壁との間にはキャビティを形成している。台座にはバネを装填するために用いている収容溝を形成し、ネック部にはキャビティ及び収容溝に連通している少なくとも１つのスルーホールをさらに形成している。リフローチャネルはキャビティ、スルーホール、及び収容溝を連通することで形成するものが好ましい態様となる。
【００１０】
前記本考案に係る火災警報弁の過圧リフロー装置においては、前記収容穴はねじ穴形態に形成し、圧力調整リングはボルト形態に形成し、圧力調整リングが収容穴の軸方向位置に位置するように調整する形式で収容穴内に装設しているものが好ましい態様となる。
【００１１】
前記本考案に係る火災警報弁の過圧リフロー装置においては、前記メインバルブには逆止め弁を固設し、逆止め弁はバルブ座及びバルブ座内に可動に装設しているバルブプラグを備えている。バルブプラグが制御するバルブ穴の面積はメインバルブより狭く、バルブプラグは給水流路の液体が排水流路に向けて一方向に流れるように制御するために用いている。リフロー台はバルブ座進に固設してメインバルブに装設しているものが好ましい態様となる。
【００１２】
前記本考案に係る火災警報弁の過圧リフロー装置においては、前記逆止め弁は給水流路に連通している第一流路及び排水流路に連通している第二流路をさらに備え、第一流路及び第二流路はバルブ穴を介して相互に連通し、且つリフロー穴は第一流路に連通しているものが好ましい態様となる。
【考案の効果】
【００１３】
本考案によれば、次のような効果がある。
過圧リフロー装置を利用してメインバルブ両端の給水流路及び排水流路内の液圧の平衡をとり（すなわち、二次側及び一次側の液圧の平衡をとる）、排水流路内の二次側の液圧が天候の影響を受けて熱膨張や冷却収縮することにより給水流路内の一次側の液圧より高くなる事象を回避し、火災発生時に、消防給水管に連通している排水流路内の二次側の液圧が、液体が放出される速度に追随して給水流路内の一次側の液圧より低くなるまで即時降圧し、火災警報弁のメインバルブが即時開弁する。開弁が遅れなくなり、給水流路内の一次側の液体が迅速且つ持続的に排水流路内に大量に流入し、火災警報弁が開弁した際に液体を供給する速度も増し、火源を高速に消火可能となる。
【００１４】
本明細書及び図面の記載により、少なくとも、以下の事項が明らかとなる。
【図面の簡単な説明】
【００１５】
【図１】従来の火災警報弁を示す断面図である。
【図２】一実施形態に係る本考案に係る火災警報弁の過圧リフロー装置を示す断面図である。
【図３】図２の部分概略拡大図である。
【図４】図３の圧力調整リングが収容穴の軸方向に位置するように調整する概略図である。
【図５】図３の排水流路内の液体がバネ台金を押し給水流路に入るときの概略図である。
【考案を実施するための形態】
【００１６】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１７】
まず、図２は一実施形態に係る本考案に係る火災警報弁の過圧リフロー装置を示す断面図である。本考案に係る火災警報弁の過圧リフロー装置は、火災警報弁内の液圧の調整に用い、前記火災警報弁のバルブ本体１０ｂ内には給水流路１１ｂ及び排水流路１２ｂを開設し、給水流路１１ｂと排水流路１２ｂとの間には弁口１３を形成し、給水流路１１ｂ内の液体は弁口１３を経由して排水流路１２ｂ内に流入する。バルブ本体１０ｂ内には弁口１３の開閉を制御するためのメインバルブ１４ｂを弾性枢設し、メインバルブ１４ｂは給水流路１１ｂ内の液体が排水流路１２ｂ内に向けて一方向に流れるように制御するために用いている。排水流路１２ｂ内の液圧が給水流路１１ｂ内の液圧より低い場合、メインバルブ１４ｂを開弁するように駆動し、給水流路１１ｂ内の液体が弁口１３を通過して排水流路１２ｂ内に流入する。
【００１８】
次は、図２と図３を併せて参照し、前記過圧リフロー装置を説明する。前記過圧リフロー装置はリフロー台２０と、バネ座金３０と、圧力調整リング４０と、を備えている。
【００１９】
前記リフロー台２０はメインバルブ１４ｂに装設し、リフロー台２０内には給水流路１１ｂと排水流路１２ｂとの間に連通している取付チャネル２１を形成し、すなわち、排水流路１２ｂ内の液体は取付チャネル２１を通過して給水流路１１ｂ内に回流する。前記取付チャネル２１は実施上給水流路１１ｂに連通しているリフロー穴２１１及び排水流路１２ｂに連通している収容穴２１２を相互に連通することで形成し、換言すれば、排水流路１２ｂ内の液体は収容穴２１２及びリフロー穴２１１を通過して給水流路１１ｂ内に回流する。リフロー穴２１１の孔径は収容穴２１２より小さい。
【００２０】
前記バネ座金３０は収容穴２１２内に可動に収容し、バネ座金３０は円形柱体であり、バネ座金３０の両端にはネック部３１及び台座３２をそれぞれ形成し、台座３２はリフロー穴２１１に向けられている。ネック部３１の直径は台座３２より小さく、ネック部３１には抵抗面３３を形成し、ネック部３１の外面と収容穴２１２の穴壁との間にはキャビティ３４１を形成している。台座３２には収容溝３４２を形成し、ネック部３１にはキャビティ３４１及び収容溝３４２に連通している少なくとも１つのスルーホール３４３をさらに形成している。キャビティ３４１、前記スルーホール３４３、及び収容溝３４２の間を連通することによりリフローチャネル３４を形成し、リフローチャネル３４及びリフロー穴２１１は相互に連通している。換言すれば、排水流路１２ｂ内の液体が収容穴２１２内に流入した後、リフローチャネル３４を通過してリフロー穴２１１に向けて流れ、リフロー穴２１１を経由して給水流路１１ｂ内に回流する。さらに、収容溝３４２内には螺旋圧縮バネのようなバネ３５を装填し、収容溝３４２の断面積はリフロー穴２１１より広く、バネ３５がリフロー穴２１１の外囲に当接可能となり、バネ座金３０に対し弾性推力を付勢する。
【００２１】
前記圧力調整リング４０は収容穴２１２内に装設し、且つバネ座金３０は圧力調整リング４０とリフロー穴２１１との間に位置し、圧力調整リング４０はバネ座金３０に向けた一側に抵抗面３３に圧接可能な圧着面４１、及び圧着面４１の中央部に位置している孔部４２を形成し、孔部４２及び収容穴２１２は相互に連通している。換言すれば、排水流路１２ｂ内の液体が収容穴２１２に流入した後、孔部４２を通過してリフローチャネル３４内に流入する。
【００２２】
具体的な実施では、前記バネ３５が弾性推力を付勢してバネ座金３０の抵抗面３３を圧力調整リング４０の圧着面４１に圧接させ、孔部４２を閉じ、排水流路１２ｂ内の液体が孔部４２を通過して収容穴２１２内に流入しないようにする。抵抗面３３の布設面積は実施上孔部４２の直径面積より大きく、抵抗面３３が確実に孔部４２を閉じる。
【００２３】
図４を参照すれば、前記収容穴２１２をねじ穴形態に形成し、圧力調整リング４０をボルト形態に形成し、圧力調整リング４０を収容穴２１２の軸方向位置に位置するように調整する形式で収容穴２１２内に装設している。これにより、バネ座金３０の抵抗面３３に付勢するバネ３５の弾性推力を調整するが、但しこの限りではない。
【００２４】
図５によれば、前記排水流路１２ｂ内の液圧が給水流路１１ｂ内の液圧よりも高く、且つ両者の間の圧力差がバネ座金３０の抵抗面３３に付勢するバネ３５の弾性推力よりも大きくなると、バネ座金３０が排水流路１２ｂ内の液体に押動され、抵抗面３３が圧着面４１から離間し、閉じられていた孔部４２が開くほか、抵抗面３３と圧着面４１との間にギャップ３６が生じ、排水流路１２ｂ内の液体が収容穴２１２、孔部４２、及びギャップ３６を通過してキャビティ３４１内に流入し、且つキャビティ３４１、前記スルーホール３４３、及び収容溝３４２の間を連通することで形成しているリフローチャネル３４を通過してリフロー穴２１１に向けて流れ、リフロー穴２１１を経由して給水流路１１ｂ内に回流し、排水流路１２ｂ内の液圧及び給水流路１１ｂ内の液圧を平衡状態にする。
【００２５】
また、前記メインバルブ１４ｂにはバルブ座５１を備えている逆止め弁５０を固設してもよく、バルブ座５１内には給水流路１１ｂに連通している第一流路５４及び排水流路１２ｂに連通している第二流路５５を開設し、第一流路５４と第二流路５５との間にはバルブ穴５３を形成している。第一流路５４内の液体はバルブ穴５３を経由して第二流路５５内に流入し、バルブ座５１内には制御バルブ穴５３を開閉するためのバルブプラグ５２を可動に装設している。バルブプラグ５２は第一流路５４内の液体を第二流路５５内に向けて一方向に流れるように制御するために用い、バルブ穴５３の断面積は弁口１３より狭い。換言すれば、液体がバルブ穴５３を通過する際の流量が液体が弁口１３を通過する際の流量よりも少ない。リフロー台２０は実施上バルブ座５１の径方向に固設してメインバルブ１４ｂに装設し、且つリフロー穴２１１は第一流路５１に連通している。換言すれば、排水流路１２ｂ内の液体は収容穴２１２、孔部４２、リフローチャネル３４、リフロー穴２１１、及び第一流路５１を通過して給水流路１１ｂ内に回流する。
【００２６】
上記説明は、本考案を説明するためのものであって、実用新案登録請求の範囲に記載の考案を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００２７】
１０ａ  バルブ本体
１０ｂ  バルブ本体
１１ａ  給水流路
１１ｂ  給水流路
１２ａ  排水流路
１２ｂ  排水流路
１３  弁口
１４ａ  メインバルブ
１４ｂ  メインバルブ
２０  リフロー台
２１  取付チャネル
２１１  リフロー穴
２１２  収容穴
３０  バネ座金
３１  ネック部
３２  台座
３３  抵抗面
３４  リフローチャネル
３４１  キャビティ
３４２  収容溝
３４３  スルーホール
３５  バネ
３６  ギャップ
４０  圧力調整リング
４１  圧着面
４２  孔部
５０  逆止め弁
５１  バルブ座
５２  バルブプラグ
５３  バルブ穴
５４  第一流路
５５  第二流路
６０ａ  消防給水管
６０ｂ  消防給水管
【図１】
0003232248.tif 000003
【図２】
0003232248.tif 000004
【図３】
0003232248.tif 000005
【図４】
0003232248.tif 000006
【図５】
0003232248.tif 000007